(57)【特許請求の範囲】
【請求項１】
携帯式コンピュータの筐体内部の放熱に使用する薄型の遠心ファンであって、
回転軸の周囲に配置された複数のブレードと、
前記複数のブレードを収納し前記複数のブレードの先端が描くブレード外周と側壁との間に空気流路を形成するケーシングと、
前記側壁の内面上に配置された整流突起とを有し、
前記空気流路が、流路幅の変化の少ない一定領域と該一定領域よりも下流側に存在し前記流路幅が下流に向かって漸増する漸増領域と該漸増領域よりも下流側に存在し下流側に向かうときの前記流路幅の拡大率が前記漸増領域よりも大きい拡大領域とを含み、前記整流突起が、前記回転軸と前記漸増領域と前記拡大領域の境界に対応する前記内面上の位置である拡大開始位置を結ぶ線と、前記回転軸と前記拡大開始位置よりも下流側の前記内面上の位置を結ぶ線が形成する内角が３０度以下の範囲に配置されている遠心ファン。
【請求項２】
前記整流突起が、前記側壁に配置された舌部と前記回転軸の中心を結ぶ基準線に対して１２０度から１５０度までの内角を形成し前記回転軸と前記側壁を結ぶ直線により画定される範囲に配置されている請求項１に記載の遠心ファン。
【請求項３】
前記整流突起が、前記一定領域の流路幅に対して１６０％の流路幅の位置から２６５％の流路幅の位置までの範囲に配置されている請求項１または請求項２に記載の遠心ファン。
【請求項４】
前記整流突起が下流側に向かって前記空気流路の流路幅を徐々に狭めるように上昇する傾斜面を備える請求項１から請求項３のいずれかに記載の遠心ファン。
【請求項５】
前記整流突起の前記回転軸に垂直な断面が台形である請求項１から請求項４のいずれかに記載の遠心ファン。
【請求項６】
前記整流突起の高さが前記整流突起の配置位置における前記流路幅の２０％から３０％までの範囲である請求項５に記載の遠心ファン。
【請求項７】
前記整流突起が前記回転軸に平行に前記ケーシングの上部プレートから下部プレートまで棒状に形成されている請求項１から請求項６のいずれかに記載の遠心ファン。
【請求項８】
前記ケーシングの軸方向の高さが１０ｍｍ以下で、前記ブレード外周の直径が３２ｍｍから４２ｍｍの範囲である請求項１から請求項７のいずれかに記載の遠心ファン。
【請求項９】
吸気口が前記ケーシングの上部プレートと下部プレートに形成されている請求項１から請求項８のいずれかに記載の遠心ファン。
【請求項１０】
電子機器の筐体内部の放熱に使用する薄型の遠心ファンであって、
回転軸の周囲に配置された複数のブレードと、
前記複数のブレードを収納し前記複数のブレードの先端が描くブレード外周と側壁との間に下流に向かうに従って流路幅が拡大する空気流路を形成するケーシングと、
前記側壁の内面上に配置された整流突起とを有し、
前記整流突起が、前記回転軸を中心として下流方向に回転した位置における単位角度当たりの前記流路幅の増加量に相当する拡大率が変化する拡大開始位置から３０度下流側に回転した範囲に配置されている遠心ファン。
【請求項１１】
前記拡大開始位置の前後において前記拡大率が３倍以上変化する請求項１０に記載の遠心ファン。
【請求項１２】
任意の位置の流路幅を舌部における流路幅に対する割合に相当する％流路幅として表したときに、前記拡大開始位置を前記単位角度当たりの前記％流路幅の増加量が３％／度以上になる位置とする請求項１０または請求項１１に記載の遠心ファン。
【請求項１３】
前記ケーシングがＤ字状に形成されている請求項１０から請求項１２のいずれかに記載の遠心ファン。
【請求項１４】
前記側壁に前記ブレード外周の直径よりも長いヒート・シンクが取り付けられている請求項１０から請求項１３のいずれかに記載の遠心ファン。
【請求項１５】
携帯式コンピュータに搭載する薄型の遠心ファンであって、
回転軸の周囲に配置された複数のブレードと、
前記複数のブレードを収納し前記複数のブレードの先端が描くブレード外周と側壁との間に空気流路を形成するケーシングと、
前記側壁に連絡するヒート・シンクと、
前記側壁の内面上に配置された整流突起とを有し、
前記空気流路が、前記空気流路の流路幅が下流に向かって漸増する漸増領域と該漸増領域よりも下流側に存在し下流側に向かうときの前記流路幅の拡大率が前記漸増領域よりも大きい拡大領域とを含み、前記整流突起が、前記回転軸と前記漸増領域と前記拡大領域の境界に対応する前記内面上の位置である拡大開始位置を結ぶ線と、前記回転軸と前記拡大開始位置よりも下流側の前記内面上の位置を結ぶ線が形成する内角が３０度以下の範囲に配置されている遠心ファン。
【請求項１６】
前記ブレード外周の直径に対する前記ケーシングの厚さの割合が３２％から１７％の範囲である請求項１５に記載の遠心ファン。
【請求項１７】
電子機器の筐体内部の放熱に使用する遠心ファンであって、
回転軸の周囲に配置された複数のブレードと、
前記複数のブレードを収納し前記複数のブレードの先端が描くブレード外周と側壁との間に空気流路を形成するケーシングと、
前記側壁の内面上に配置された整流突起とを有し、
前記空気流路の下流に向かう各位置に対する前記空気流路の流路幅が、第１の傾きの直線と、該第１の傾きより大きい第２の傾きの直線で近似できる範囲を含み、前記整流突起が、前記回転軸と前記第１の傾きの直線と前記第２の傾きの直線の交点に対応する前記内面上の位置である拡大開始位置を結ぶ線と、前記回転軸と前記拡大開始位置よりも下流側の前記内面上の位置を結ぶ線が形成する内角が３０度以下の範囲に配置されている遠心ファン。
【請求項１８】
請求項１から請求項１７のいずれかに記載の遠心ファンを搭載した携帯式コンピュータ。
【発明の詳細な説明】
【技術分野】
【０００１】
本発明は、遠心ファンの騒音を軽減する技術に関し、さらに詳細には携帯式コンピュータのような電子機器の筐体内部の熱を放熱する薄型の遠心ファンの騒音を軽減する技術に関する。
【背景技術】
【０００２】
携帯式コンピュータは、電子デバイスの熱を放熱するために筐体の内部に遠心ファンを搭載する。遠心ファンは、回転軸方向から吸気した空気を多数のブレード（フィン）が遠心力で半径方向に押し出して空気流を生成する際に、ケーシングの内部に圧力変動を生じさせたりブレードの先端に乱流を発生させたりするためそれが原因となって騒音が発生する。特許文献１は、冷凍、空調または換気装置に使用する多翼遠心ファンのＮＺ音を低減する発明を開示する。同文献には、羽根車の回転軸中心とケーシングの舌部のアール中心とを結ぶ直線を基準に羽根車の回転方向への角度をθとしたとき、ケーシング内の側面における０°＜θ＜４５°および／または９０°＜θ＜１８０°の範囲に、羽根車の回転軸方向に平行な複数個の突起を設けることが記載されている。
【０００３】
特許文献２は、舌部よりも下流側のケーシング内の側面に、羽根車の回転軸方向の高さが不連続的に異なるとともに鋭角な頂部を備える段差を多数設けることで多翼遠心ファンのＮＺ音を低減する発明を開示する。特許文献３は、遠心型送風機の渦巻きケーシングの吐出口部近くに二辺対称なＬ字形の突起整流板を設けて騒音の抑制を図る発明を開示する。
【先行技術文献】
【特許文献】
【０００４】
【特許文献１】特開２００９−２８１１９８号公報
【特許文献２】特開２０１０−２８１２２７号公報
【特許文献３】特開平１０−２２０３９８号公報
【発明の概要】
【発明が解決しようとする課題】
【０００５】
遠心ファンの騒音を軽減する先行技術はいずれも、換気や空調などに使用する大型の遠心ファンに関するもので、携帯式コンピュータに使用する薄型の遠心ファンの騒音をブレードやケーシングの形状に変更を加えないで抑制する技術はほとんど知られていない。そして先行技術で採用する方法で薄型の遠心ファンに突起を設けても、十分に騒音を抑制することはできない。その理由はとしては最初に、薄型の遠心ファンはケーシングの形状が、排気側にヒート・シンクを設けるための広い側壁開口を備えたＤ字型をしており、ケーシング内部の圧力変動、圧力分布、渦の発生箇所、渦の分布、および空気流の流れ方などが空調用の遠心ファンとは異なることが考えられる。
【０００６】
つぎに、筐体の内部は電子部品の実装密度が高いために吸気側の圧力損が高くなり、吸気側と吐出側の圧力差が大きくなることが影響していると考えられる。また、筐体の内部に実装するために遠心ファンが極端に薄型化されていることが考えられる。したがって、薄型の遠心ファンの騒音を抑制する方法は、空調用の遠心ファンの対策から類推するだけでは実現が困難であり、騒音源を突き止めて特有の対策を講じる必要がある。
【０００７】
そこで本発明の目的は、遠心ファンの騒音を軽減することにある。さらに本発明の目的は、ケーシングおよびブレードの形状を変更しないで遠心ファンの騒音を軽減することにある。さらに本発明の目的は、そのような遠心ファンを搭載した携帯式コンピュータを提供することにある。
【課題を解決するための手段】
【０００８】
本発明の１つの態様では携帯式コンピュータの放熱に使用する騒音を軽減した遠心ファンを提供する。本発明にかかる遠心ファンは、回転軸の周囲に配置された複数のブレードと複数のブレードを収納するケーシングを備える。側壁の内面と複数のブレードの先端が描くブレード外周との間には空気流路が形成される。空気流路は、流路幅の変化の少ない一定領域と一定領域よりも下流側に存在し流路幅が下流に向かって漸増する漸増領域と漸増領域よりも下流側に存在し下流側に向かうときの流路幅の拡大率が漸増領域よりも大きい拡大領域とを含む。整流突起は、漸増領域と拡大領域の境界から下流側の所定の位置までの範囲に配置される。
【０００９】
整流突起は、側壁の内面に配置された舌部とブレードの回転軸の中心を結ぶ基準線に対して１２０度から１５０度までの内角を形成し回転軸と側壁を結ぶ直線により画定される範囲に配置することができる。整流突起はまた一定領域の流路幅に対して１６０％の流路幅の位置から２６５％の流路幅の位置までの範囲に配置することができる。整流突起は下流側に向かって流路幅を徐々に狭めるように上昇する傾斜面を備えることができる。整流突起は、回転軸に垂直な断面を台形にすることができる。
【００１０】
整流突起の高さは、整流突起の配置位置における流路幅の２０％〜３０％の範囲とすることができる。整流突起は回転軸に平行にケーシングの上部プレートから下部プレートまで棒状に形成することができる。整流突起の本数は１本とすることができる。ケーシングの軸方向の高さが７ｍｍ以下で、ブレード外周の直径を３２ｍｍから４２ｍｍの範囲とすることができる。吸気口はケーシングの上部プレートと下部プレートに形成することができる。
【発明の効果】
【００１１】
本発明により、遠心ファンの騒音を軽減することができた。さらに本発明により、ケーシングおよびブレードの形状を変更しないで遠心ファンの騒音を軽減することができた。さらに本発明により、そのような遠心ファンを搭載した携帯式コンピュータを提供することができた。
【図面の簡単な説明】
【００１２】
【図１】遠心ファンの外形図である。
【図２】図１（Ａ）から上部プレート１１ａとヒート・シンク１３を取り除いた平面図である。
【図３】整流突起２００の形状を示す図である。
【図４】空気流路２３の流路幅Ｌが位置によって変化する様子を説明する図である。
【図５】流路位置を示す角度θに対する％流路幅が変化する様子を示す図である。
【図６】整流突起２００を取り付ける流路位置と騒音抑制効果を確認するための実験結果を示す図である。
【図７】４個の整流突起を３カ所の取り付け位置に取り付けたときの騒音低減効果を示す図である。
【発明を実施するための形態】
【００１３】
図１は、本実施の形態にかかる遠心ファンの外形図である。図１（Ａ）は、平面図、図１（Ｂ）は底面図、図１（Ｃ）は側面図である。遠心ファン１０は、薄型の携帯式コンピュータの筐体の内部に収納できるように、軸方向の高さは１０ｍｍ以下でありさらに望ましくは７ｍｍ以下である。遠心ファン１０は、以下に詳細に説明するように薄型で流路に特有の特徴を備えており、空調や建物換気用の遠心ファンと送風原理は同一であっても、少なくとも騒音対策上は異なる範疇のファンといえる。ケーシング１１は、上部プレート１１ａ、下部プレート１１ｂ、および側壁１１ｃで構成されている。
【００１４】
ケーシング１１の平面形状はＤ字型をしており、平面から見たときに直線状の部分の側壁１１ｃには側壁開口２７（図２）が形成されている。側壁開口２７にはヒート・シンク１３が取り付けられる。ヒート・シンク１３には図示しないヒート・パイプが結合され、ＣＰＵやチップ・セットなどの発熱量の多いデバイスの熱を吸熱する。ヒート・シンク１１と反対側に位置する側壁１１ｃは全体的に曲面で形成されている。遠心ファン１０は、ヒート・シンク１３が携帯式コンピュータの筐体の側面に形成されたルーバに位置が整合するように取り付けられる。
【００１５】
上部プレート１１ａには吸気口となる開口が形成されており、その開口からはモータに結合された回転軸１０１の頂部とその周囲に取り付けられた複数のブレード１０３の一部が露出している。また、下部プレート１１ｂにも吸気口となる開口が形成され、モータを取り付けるベース１０５とその周囲に形成された吸気口からはブレード１０３の一部が露出している。遠心ファン１０は上下の吸気口から筐体内部の高温の空気を吸気してヒート・シンク１３を通じて筐体の外に放出し、さらにヒート・シンクが吸熱した熱を空気流と熱交換して放熱する。
【００１６】
図２（Ａ）は、図１（Ａ）から上部プレート１１ａとヒート・シンク１３を取り除いた平面図で、図２（Ｂ）はブレード１０３の側面図である。側壁１１ｃはヒート・シンク１３が取り付けられる側壁開口２７で開放している。ヒート・シンク１３の長さは側壁開口２７の長さにほぼ等しく、ブレード１０３の直径よりも大きい。このような構造は、送風や空調の遠心ファンの構造とは異なり、携帯式コンピュータの放熱に使用する遠心ファンに特有の構造である。側壁開口２７の近辺には舌部２１が設けられている。舌部２１は、そこを境にして気流の上流側と下流側の間の圧力差を維持したり、気流を効果的にヒート・シンク１３に送る役割を果たしたりする。
【００１７】
４６枚のブレード１０３は、それぞれ基端部が回転軸１０５に連絡し、先端部は上部リング１７ａと下部リング１７ｂで挟まれるようにして固定されている。上部リング１７ａと下部リング１７ｂの外周と各ブレード１０３の先端の位置は一致している。すなわち、複数のブレード１０３の先端を結ぶ円形の包絡線は、上部リング１７ａおよび下部リング１７ｂの外周（以下、ブレード外周２５という。）と平面図上で一致する。ブレード外周２５の直径は３２ｍｍ〜４２ｍｍである。
【００１８】
遠心ファン１０は、ブレード外周２５の直径に対してケーシング１１の高さが低い薄型構造である。ブレード外周２５の直径３２ｍｍと４２ｍｍに対して、ケーシングの高さ１０ｍｍはそれぞれ３２％と２３％に相当し、ケーシングの高さ７ｍｍに対しては２２％と１７％に相当する。本発明は、ブレード外周２５の直径に対するケーシングの高さの割合が３２％から１７％までの範囲の遠心ファンに適用することができる。
【００１９】
ブレード外周２５と側壁１１ｃの内面との間には、ブレード１０３の回転により矢印Ａ方向の空気流が流れる空気流路２３が形成されている。舌部２１は空気流路２３の最も上流に位置する。空気流路２３の形状は、回転軸１０１の方向またはケーシング１１の高さ方向においては変化しない。すなわち、側壁１１ｃおよび複数のブレード１０３の先端が形成する円柱は、下部プレート１１ｂに対して垂直である。側壁１１ｃの内側には整流突起２００が設けられている。
【００２０】
図３（Ａ）は整流突起２００の取り付け状態を示す斜視図で、図３（Ｂ）は整流突起２００の断面図である。整流突起２００は、側壁１１ｃの内面の上下方向（回転軸の方向）に上部プレート１１ａの内側から下部プレート１１ｂの内側まで棒状に１本だけ配置されている。整流突起２００の回転軸１０１に垂直な断面の形状はいずれの場所でも同一で台形となっている。断面において整流突起２００は上底の長さＷ２、下底の長さＷ１、高さＨで特定することができる。
【００２１】
整流突起２００は側壁１１ｃの内面に取り付けられた状態で上流から下流に空気流路２３の流路幅を徐々に狭めるように上昇する傾斜面２５１と側壁１１ｃに取り付けるための取り付け面２５３を備えている。整流突起２００が側壁１１ｃに取り付けられたときに傾斜面２５１は空気流に渦が発生する現象を抑制する。
【００２２】
回転軸１０１に取り付けられたモータを動作させてブレード１０３を左回転させると、ケーシング１１の上部プレート１１ａと下部プレート１１ｃに形成された吸気口から回転軸１０１の方向に空気が流入し、回転するブレード１０３の遠心力で下流方向に向かう空気が側壁１１ｃの内面に吐出される。そして空気流は、空気流路２３を矢印Ａ方向に流れて側壁開口２７からヒート・シンク１３に吐出される。整流突起２００はモータが３５００ｒｐｍ〜５１５０ｒｐｍの範囲の回転速度で回転する際の騒音を軽減する。
【００２３】
本発明においては整流突起２００の位置が重要である。本発明の発明者達は、騒音対策を行うために空気流路２３を流れる空気流を可視化するために特別な装置を開発して空気流の状態を確認した。その結果、空気流路２３のほぼ中間の位置または側壁開口２７に対向する側壁１１ｃの頂部付近で発生した乱流が成長しながら、ヒート・シンク１３の入り口まで続いていることを確認した。
【００２４】
乱流は舌部２１の近辺にも発生しているが中間の位置で観測した乱流の規模はそれよりもはるかに大きいものであった。つぎに発明者達はこの大規模な乱流が騒音の発生原因であるとの仮説を立てて、乱流を抑制する方法を検討した。そして、乱流の発生を抑制するためには、乱流の発生箇所に対策を施すことが効果的であると考え、乱流の最も上流側の位置と空気流路２３の形状の関係を詳細に調査した。
【００２５】
図４は、空気流路２３の流路幅Ｌが流路位置によって変化する様子を説明する図である。流路位置とは、空気流路２３の空気流の方向における位置をいう。側壁１１ｃの特定の流路位置における流路幅Ｌは、中心軸１０３を通過する直線２０７とブレード外周２５が交差する位置および当該直線と側壁１１ｃの内面が交差する当該流路位置の間の長さをいう。
【００２６】
基準線２０１における流路幅Ｌは約２．３ｍｍで、基準線２０１以外の場所での流路幅Ｌは基準線２０１における流路幅Ｌに対する割合として特定することができる。基準線２０１での流路幅Ｌを基準にした任意の流路位置の流路幅Ｌを％流路幅ということにする。空気流路２３は、回転軸の中心１０３の周りを囲むように形成されているため流路位置は、基準線２０１とライン２０７と間の内角で表すことができる。
【００２７】
この内角を、流路位置を示す角度θということにする。図５は、角度θに対する％流路幅が変化する様子を示している。図５によれば、％流路幅は角度θが０度から約５０度までの範囲ではほぼ一定となり、約５０度から約１２０度までの範囲で緩やかに拡大し、さらに約１２０度を越えると急激に拡大する。このような空気流路２３の特徴は、携帯式コンピュータに搭載されヒート・シンクが装着されるほとんどの薄型の遠心ファンに存在する。角度θが０度から約５０度までの範囲を一定領域、約５０度から約１２０度までの範囲を漸増領域、約１２０度を超えた領域を拡大領域ということにする。
【００２８】
角度θが漸増領域から拡大領域に遷移する約１２０度の位置を拡大開始位置Ｐということにする。角度θが０度の％流路幅は１００％で、拡大開始位置Ｐの％流路幅は約１６０％で、角度θが１５０度の％流路幅は２６５％である。角度θに対する％流路幅は、３つの一次式で近似することができる。一定領域の％流路幅はライン２１１で近似することができ、漸増領域の％流路幅はライン２１３で近似することができ、拡大領域の％流路幅はライン２１５で近似することができる。
【００２９】
側壁１１ｃに沿って下流に向かうときに、角度θが単位角度増大するときの％流路幅の増加量を％流路幅の拡大率としたときに、拡大率はライン２１１、２１３、２１５の傾きとして表すことができる。拡大率は、一定領域で０％／度、漸増領域で０．８５％／度、拡大領域で３．５％／度となっている。拡大領域の拡大率は漸増領域の拡大率の約４倍になっている。本発明においては、拡大開始位置Ｐを％流路幅の拡大率が３倍以上変化する位置とすることができる。さらに本発明においては、拡大開始位置Ｐを拡大率が３％／度以上になる最も上流の位置とすることができる。
【００３０】
本発明の発明者達は、この拡大開始位置Ｐが乱流発生箇所であることを確認すると、拡大開始位置Ｐで乱流の発生を抑制すれば騒音を軽減できると想定して整流突起２００の位置と形状を拡大開始位置Ｐの近辺に設定して実験をした。その結果、図４に示すライン２０３とライン２０５で画定される流路位置の側壁１１ｃの内側に整流突起２００を設けると、乱流が消滅して騒音が大幅に軽減されることを確認した。
【００３１】
図４でライン２０１、２０３、２０５は、回転軸の中心１０７に垂直な平面上に存在する。ライン２０３の角度θは１２０度で、ライン２０５の角度θは１５０度である。また拡大開始位置Ｐはライン２０３と側壁１１ｃの内面が交差する流路位置である。したがって、整流突起２００が有効な角度θの範囲は下限を１２０度として下流側に約３０度の範囲である。図６は、整流突起２００を取り付ける流路位置と騒音抑制効果を確認するための実験結果を示す図である。図６は、整流突起２００を設けないときの騒音レベルに対して整流突起２００を設けたときの騒音のレベルの低下量（ｄＢ）を示している。
【００３２】
図６は遠心ファン１０を携帯式コンピュータの筐体の内部に実装した状態で遠心ファンを動作させて騒音計で測定した騒音レベルをＦＦＴ処理して計算した音圧レベルのピーク値を示している。図６は、角度θが１２０度から１５０度の範囲に整流突起２００を設けると、整流突起２００を設けない場合に比べて１０ｄＢ〜１５ｄＢ低下することを示している。
【００３３】
詳細にみると、流路位置を示す角度が１２４度のときは約１０ｄＢ低下し、１３４度のときに最も効果が高くて約１５ｄＢ低下し、１５０度のときに約７ｄＢ低下している。拡大開始位置Ｐを基準にすると、拡大開始位置Ｐよりも下流側に最も効果が高い整流突起２００の取り付け場所が存在し、それより上流側および下流側のいずれの方向の流路位置でも効果が下がっていることがわかる。
【００３４】
なお、拡大開始位置Ｐ（１２０度）よりも角度θが小さい上流側についてのデータを示していない理由は、数名の被験者で官能検査をした結果騒音低減効果がまったくなかったためである。したがって、整流突起２００の取り付け位置の上流側の限界の角度θは１２０度としている。流路位置を示す角度が１５０度を超えると、騒音低減効果が一層少なくなるので、整流突起２００の取り付け位置の下流側の限界の角度θは１５０度としている。また、本発明の発明者達が開発した可視化装置で確認したところ整流突起２００を設けると渦がほとんど消滅することも確認できた。
【００３５】
つぎに整流突起２００の形状について実験した。図３に示したように整流突起２００は、乱流の発生を抑制するために傾斜面２５１を備えている。表１に示すさまざまな形状の４個の整流突起を製作して、Ａ，Ｂ、Ｃの３カ所の取り付け位置に取り付けて騒音を測定した。取り付け位置は、角度θが１２５度の流路位置を基準位置（Ｒｅｆ）とし、それより２ｍｍ下流側の流路位置Ｂと拡大開始位置Ｐから４ｍｍ下流側の流路位置Ｃを設定した。また、整流突起２００は傾斜面２５１と取り付け面２５３の交点である最も上流側の位置を取り付け位置に整合させて取り付けた。
【００３６】
【表１】
0005442683.tif 000002
【００３７】
図７は、４個の整流突起を３カ所の取り付け位置に取り付けたときの騒音低減効果を示す図である。図７からは突起の高さＨには臨界点があり１．２７ｍｍのときに最も騒音低減効果が大きく高さＨがそれよりも低くなったり高くなったりすると騒音低減効果が小さくなることがわかる。整流突起２００の高さＨをその位置における流路幅Ｌに対する割合として示すと、騒音低減効果に有効な整流突起２００の高さＨは、流路幅Ｌに対して２０％〜３０％となる。
【００３８】
拡大領域は、ヒート・シンク１３に送る風量を確保するために、遠心ファン１０にとっては必須の構造である。そしてヒート・シンクの取り付け可能な薄型の遠心ファンでは、空気流が拡大領域に流れてゆくときに、拡大開始位置Ｐで乱流が発生してヒート・シンクに到達するまで大きく成長し騒音をもたらしている。本発明では乱流を整流突起２００だけで解消することができるため、ケーシングやブレードの形状などには一切変更を加える必要がないため、既存の遠心ファンに対して簡単かつ有効な騒音対策を講ずることができる。本発明にかかる遠心ファンは、プロジェクタなどの携帯式コンピュータ以外の電子機器の放熱に使用することもできる。
【００３９】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４０】
１０  遠心ファン
１１  ケーシング
１１ａ  ケーシングの上部プレート
１１ｂ  ケーシングの下部プレート
１１ｃ  ケーシングの側壁
１７ａ  ブレードを固定する上部リング
１７ｂ  ブレードを固定する下部リング
２１  舌部
２３  空気流路
２５  ブレード外周
２７  側壁開口
１３  ヒート・シンク
１０１  モータの回転軸
１０３  ファンのブレード
１０５  モータを取り付けるベース
１０７  回転軸の中心
２００  整流突起
Ｌ  流路幅
Ｈ  整流突起の高さ
【図１】
0005442683.tif 000003
【図２】
0005442683.tif 000004
【図３】
0005442683.tif 000005
【図４】
0005442683.tif 000006
【図５】
0005442683.tif 000007
【図６】
0005442683.tif 000008
【図７】
0005442683.tif 000009